【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
複数のプリンタドライバがインストールされる印刷指示装置であって、
前記複数のプリンタドライバは、各々、印刷指示を行う印刷装置の機能に応じた項目が設定可能であり、各々の項目に対する設定値が予め登録されており、
前記複数のプリンタドライバの中から選択される所定のプリンタドライバは、
１又は複数の項目の設定値に基づいて設定ポリシーを決定し、決定した前記設定ポリシーを記憶部の所定の記憶領域に保存し、
前記所定のプリンタドライバを除く他のプリンタドライバは、
前記記憶部の前記所定の記憶領域に前記設定ポリシーが保存されている場合に、前記設定ポリシーに関連する１又は複数の項目の設定値を前記設定ポリシーに応じて変更する、
ことを特徴とする印刷指示装置。
【請求項２】
前記他のプリンタドライバは、
予め記憶された、前記設定ポリシーと前記項目と当該項目の設定値とを関連付ける情報を参照して、前記設定ポリシーに関連する項目を特定し、特定した項目の内の少なくとも１つの項目の設定値を前記情報に基づいて変更する、
ことを特徴とする請求項１に記載の印刷指示装置。
【請求項３】
前記所定のプリンタドライバは、
更に、前記１又は複数の項目の設定値に基づいて、設定を反映させる程度を示す設定レベルを決定し、決定した前記設定レベルを前記記憶部の前記所定の記憶領域に保存し、
前記他のプリンタドライバは、
前記記憶部の前記所定の記憶領域に前記設定ポリシー及び前記設定レベルが保存されている場合に、前記設定ポリシーに関連する項目の中から、前記設定レベルに応じた項目を特定し、特定した項目の設定値を前記情報に基づいて変更する、
ことを特徴とする請求項２に記載の印刷指示装置。
【請求項４】
前記他のプリンタドライバは、
前記記憶部の前記所定の記憶領域に前記設定ポリシー、及び、設定を反映させる程度を示す指標として予め設定された設定レベルが保存されている場合に、前記設定ポリシーに関連する項目の中から、前記設定レベルに応じた項目を特定し、特定した項目の設定値を前記情報に基づいて変更する、
ことを特徴とする請求項２に記載の印刷指示装置。
【請求項５】
前記所定のプリンタドライバが前記設定ポリシーを決定する際に参照する前記１又は複数の項目と、前記他のプリンタドライバが前記設定ポリシーに基づいて設定値を変更する前記１又は複数の項目と、は少なくとも一部が異なる、
ことを特徴とする請求項１乃至４のいずれか一に記載の印刷指示装置。
【請求項６】
前記他のプリンタドライバは、
前記所定のプリンタドライバが前記設定ポリシーを決定する際に参照する項目が、自身が設定可能な項目の中にない場合は、前記設定ポリシーに関連する他の項目の設定値を変更する、
ことを特徴とする請求項５に記載の印刷指示装置。
【請求項７】
前記他のプリンタドライバは、
前記所定のプリンタドライバが前記設定ポリシーを決定する際に参照する項目が、自身が設定可能な項目の中にある場合、当該項目に代えて、若しくは、当該項目に加えて、前記設定ポリシーに関連する他の項目の設定値を変更する、
ことを特徴とする請求項５に記載の印刷指示装置。
【請求項８】
印刷装置に印刷指示を行う装置にインストールされるプリンタドライバであって、
前記装置に、
前記印刷装置の機能に応じた項目が設定可能に表示される印刷設定画面を表示部に表示させて、１又は複数の項目を設定させる設定処理、
前記１又は複数の項目の設定値に基づいて設定ポリシーを決定し、決定した前記設定ポリシーを記憶部の所定の記憶領域に保存する設定ポリシー決定処理、を実行させる、
ことを特徴とするプリンタドライバ。
【請求項９】
前記装置に、更に、
前記装置にインストールされた他のプリンタドライバが決定した前記設定ポリシーが前記記憶部の前記所定の記憶領域に保存されている場合に、前記設定ポリシーに関連する１又は複数の項目の設定値を前記設定ポリシーに応じて変更する設定ポリシー反映処理、
前記設定値を変更した前記印刷設定画面を前記表示部に表示させる表示処理、を実行させる、
ことを特徴とする請求項８に記載のプリンタドライバ。
【請求項１０】
印刷装置に印刷指示を行う装置にインストールされるプリンタドライバであって、
前記装置に、
前記装置にインストールされた他のプリンタドライバが１又は複数の項目の設定値に基づいて決定した設定ポリシーが記憶部の所定の記憶領域に保存されている場合に、前記印刷装置の機能に応じた項目の内の前記設定ポリシーに関連する１又は複数の項目の設定値を前記設定ポリシーに応じて変更する設定ポリシー反映処理、
前記設定値を変更した印刷設定画面を表示部に表示させる表示処理、を実行させる、
ことを特徴とするプリンタドライバ。
【請求項１１】
前記設定ポリシー反映処理では、
予め記憶された、前記設定ポリシーと前記項目と当該項目の設定値とを関連付ける情報を参照して、前記設定ポリシーに関連する項目を特定し、特定した項目の内の少なくとも１つの項目の設定値を前記情報に基づいて変更する、
ことを特徴とする請求項９又は１０に記載のプリンタドライバ。
【請求項１２】
前記装置に、前記設定ポリシー決定処理を実行させる場合は、
前記１又は複数の項目の設定値に基づいて、設定を反映させる程度を示す設定レベルを決定し、決定した前記設定レベルを前記記憶部の前記所定の記憶領域に保存し、
前記装置に、前記設定ポリシー反映処理を実行させる場合は、
前記記憶部の前記所定の記憶領域に前記他のプリンタドライバが決定した前記設定ポリシー及び前記設定レベルが保存されている場合に、前記設定ポリシーに関連する項目の中から、前記設定レベルに応じた項目を特定し、特定した項目の設定値を前記情報に基づいて変更する、
ことを特徴とする請求項１１に記載のプリンタドライバ。
【請求項１３】
前記設定ポリシー反映処理では、
前記記憶部の前記所定の記憶領域に前記他のプリンタドライバが決定した前記設定ポリシー、及び、設定を反映させる程度を示す指標として予め設定された設定レベルが保存されている場合に、前記設定ポリシーに関連する項目の中から、前記設定レベルに応じた項目を特定し、特定した項目の設定値を前記情報に基づいて変更する、
ことを特徴とする請求項１１に記載のプリンタドライバ。
【請求項１４】
前記他のプリンタドライバが前記設定ポリシーを決定する際に参照する前記１又は複数の項目と、前記設定ポリシーに基づいて自身が設定値を変更する前記１又は複数の項目と、は少なくとも一部が異なる、
ことを特徴とする請求項９乃至１３のいずれか一に記載のプリンタドライバ。
【請求項１５】
前記設定ポリシー反映処理では、
前記他のプリンタドライバが前記設定ポリシーを決定する際に参照する項目が、自身が設定可能な項目の中にない場合は、前記設定ポリシーに関連する他の項目の設定値を変更する、
ことを特徴とする請求項１４に記載のプリンタドライバ。
【請求項１６】
前記設定ポリシー反映処理では、
前記他のプリンタドライバが前記設定ポリシーを決定する際に参照する項目が、自身が設定可能な項目の中にある場合、当該項目に代えて、若しくは、当該項目に加えて、前記設定ポリシーに関連する他の項目の設定値を変更する、
ことを特徴とする請求項１４に記載のプリンタドライバ。
【請求項１７】
印刷指示を行う印刷装置の機能に応じた項目が設定可能なプリンタドライバがインストールされる印刷指示装置であって、
前記項目に関連する設定ポリシーを取得する取得手段と、
予め設定値が登録された複数の項目のうちの少なくとも１つの項目に対し、取得した前記設定ポリシーに応じた設定値を設定する設定手段と、を有する、
ことを特徴とする印刷指示装置。
【請求項１８】
前記設定ポリシーは、前記項目に対応するカテゴリーと関連付けられており、
前記設定手段は、取得した前記設定ポリシーに関連付けられたカテゴリーに対応する項目を特定し、特定した項目の設定値を前記設定ポリシーに応じた設定値として設定する、
ことを特徴とする請求項１７に記載の印刷指示装置。
【請求項１９】
前記プリンタドライバは、各々の前記項目に対する設定値が予め登録されており、
前記設定手段は、登録された設定値を前記設定ポリシーに応じて変更する、
ことを特徴とする請求項１７又は１８に記載の印刷指示装置。
【請求項２０】
さらに、前記設定値を変更した印刷設定画面を表示部に表示させる表示手段を有する、
ことを特徴とする請求項１７乃至１９のいずれか一に記載の印刷指示装置。
【請求項２１】
印刷装置に印刷指示を行う印刷指示装置にインストールされ、印刷装置の機能に応じた項目が設定可能なプリンタドライバであって、
前記項目に関連する設定ポリシーを取得する取得ステップと、
予め設定値が登録された複数の項目のうちの少なくとも１つの項目に対し、取得した前記設定ポリシーに応じた設定値を設定する設定ステップと、を前記印刷指示装置に実行させる、
ことを特徴とするプリンタドライバ。
【請求項２２】
前記設定ポリシーは、前記項目に対応するカテゴリーと関連付けられており、
前記設定ステップでは、取得した前記設定ポリシーに関連付けられたカテゴリーに対応する項目を特定し、特定した項目の設定値を前記設定ポリシーに応じた設定値として設定する、
ことを特徴とする請求項２１に記載のプリンタドライバ。
【請求項２３】
前記プリンタドライバは、各々の前記項目に対する設定値が予め登録されており、
前記設定ステップでは、登録された設定値を前記設定ポリシーに応じて変更する、
ことを特徴とする請求項２１又は２２に記載のプリンタドライバ。
【請求項２４】
さらに、前記設定値を変更した印刷設定画面を表示部に表示させる表示ステップを前記印刷指示装置に実行させる、
ことを特徴とする請求項２１乃至２３のいずれか一に記載のプリンタドライバ。
【手続補正２】
【補正対象書類名】明細書
【補正対象項目名】００１２
【補正方法】変更
【補正の内容】
【００１２】
本発明の一側面は、複数のプリンタドライバがインストールされる印刷指示装置であって、前記複数のプリンタドライバは、各々、印刷指示を行う印刷装置の機能に応じた項目が設定可能であり、各々の項目に対する設定値が予め登録されており、前記複数のプリンタドライバの中から選択される所定のプリンタドライバは、１又は複数の項目の設定値に基づいて設定ポリシーを決定し、決定した前記設定ポリシーを記憶部の所定の記憶領域に保存し、前記所定のプリンタドライバを除く他のプリンタドライバは、前記記憶部の前記所定の記憶領域に前記設定ポリシーが保存されている場合に、前記設定ポリシーに関連する１又は複数の項目の設定値を前記設定ポリシーに応じて変更することを特徴とする。また、本発明の一側面は、印刷指示を行う印刷装置の機能に応じた項目が設定可能なプリンタドライバがインストールされる印刷指示装置であって、前記項目に関連する設定ポリシーを取得する取得手段と、予め設定値が登録された複数の項目のうちの少なくとも１つの項目に対し、取得した前記設定ポリシーに応じた設定値を設定する設定手段と、を有することを特徴とする。
【手続補正３】
【補正対象書類名】明細書
【補正対象項目名】００１３
【補正方法】変更
【補正の内容】
【００１３】
本発明の一側面は、印刷装置に印刷指示を行う装置にインストールされるプリンタドライバであって、前記装置に、前記印刷装置の機能に応じた項目が設定可能に表示される印刷設定画面を表示部に表示させて、１又は複数の項目を設定させる設定処理、前記１又は複数の項目の設定値に基づいて設定ポリシーを決定し、決定した前記設定ポリシーを記憶部の所定の記憶領域に保存する設定ポリシー決定処理、を実行させることを特徴とする。また、本発明の一側面は、印刷装置に印刷指示を行う印刷指示装置にインストールされ、印刷装置の機能に応じた項目が設定可能なプリンタドライバであって、前記項目に関連する設定ポリシーを取得する取得ステップと、予め設定値が登録された複数の項目のうちの少なくとも１つの項目に対し、取得した前記設定ポリシーに応じた設定値を設定する設定ステップと、を前記印刷指示装置に実行させることを特徴とする。